(57)【要約】【課題】原稿の読み取り或いは画像の出力を高速に行って利便性を向上させることのできる画像処理装置を提供する。【解決手段】原稿の画像イメージを読み取る読取部３と、読取部３で読み取った全てのページの画像データをページ単位で記憶する画像記憶部１１と、読取部で読み取った一部のページの画像データまたは画像記憶部１１から取り出した一部のページの画像データを１ページづつ一時記憶する複数の領域を有するページメモリ１２と、ページメモリ１２から１ページづつ画像データを取り出して出力する出力部１４と、出力部から出力するページの順序をユーザ設定する入力部５とを備え、読取部３または画像記憶部１１からページメモリ１２に画像データを書き込む際に、出力が終了したページがある場合は該ページを記憶した領域を書き込み先とし、出力が終了したページがない場合は、最も後に出力されるページを記憶した領域から順に使用可能な領域を検索して書き込み先とした。【選択図】      図３
2004236132.tif 000002
【特許請求の範囲】
【請求項１】
原稿の画像イメージを読み取る読取部と、前記読取部で読み取った全てのページの画像データをページ単位で記憶する画像記憶部と、前記読取部で読み取った一部のページの画像データまたは前記画像記憶部から取り出した一部のページの画像データを１ページづつ一時記憶する複数の領域を有するページメモリと、前記ページメモリから１ページづつ画像データを取り出して出力する出力部と、前記出力部から出力するページの順序をユーザ設定する入力部とを備え、
前記読取部または前記画像記憶部から前記ページメモリに画像データを書き込む際に、前記出力部の出力経過または出力順序に基づいて決められた領域に書き込むようにしたことを特徴とする画像処理装置。
【請求項２】
前記ページメモリの各領域に記憶されたページの中で、前記出力部による出力が終了したページがある場合は該ページを記憶した領域を書き込み先とし、前記出力部による出力が終了したページがない場合は、前記出力部によって最も後に出力されるページを記憶した領域から順に使用可能な領域を検索して書き込み先としたことを特徴とする請求項１に記載の画像処理装置。
【請求項３】
前記読取部によって原稿の両面の画像イメージを読み取ることを特徴とする請求項１または請求項２に記載の画像処理装置。
【請求項４】
前記ページメモリから前記画像記憶部に画像データを書き込む際に、前記出力部の出力順序または出力経過に基づいて決められたページ順で書き込むようにしたことを特徴とする請求項３に記載の画像処理装置。
【発明の詳細な説明】
【０００１】
【発明の属する技術分野】
本発明は、原稿の画像イメージを読み取ってコピーを行う複写機、ファクシミリ装置、複合プリンタ等の画像処理装置に関し、特に、原稿の全ページの画像データを記憶する大容量記憶装置を有した画像処理装置に関する。
【０００２】
【従来の技術】
原稿の画像イメージを読み取って画像データを出力してコピーを行う従来の画像処理装置は特許文献１に開示されている。この画像処理装置は原稿の画像イメージを読み取って得られる画像データを一時記憶するページメモリと、全ページの画像データを記憶する画像記憶部とを備えている。
【０００３】
ページメモリはＲＡＭ等から成り、論理的に分割された複数の各領域に原稿の１ページの画像データを一時記憶してページ毎の入力及び出力を行うことができる。画像記憶部はＨＤＤ等の大容量記憶装置から成り、原稿の全ページの画像データを記憶する。
【０００４】
原稿の画像イメージを読み取ると各ページの画像データがページメモリの各領域に書き込まれる。ページメモリに記憶された画像データは画像記憶部に順に記憶される。これにより、書き込み速度の遅い画像記憶部に画像データを書き込む間に次の原稿を読み取ってページメモリの別の領域に画像データを記憶させることができる。従って、ページメモリがバッファとなって原稿を高速に読み取ることができる。
【０００５】
画像記憶部に全ページの画像データが記憶されるとユーザ設定された順に画像記憶部からページ単位で画像データが取り出されてページメモリに書き込まれる。ページメモリに書き込まれた画像データは出力部により取り出して印刷される。これにより、電子ＲＤＨ（Ｒｅｄｕｃｅ  Ｄｏｃｕｍｅｎｔ  Ｈａｎｄｌｅｒ）が構成され、複数部のコピーを１回の原稿読取りで行うことができるとともに、ページメモリがバッファとなって印刷を高速に行うことができるようになっている。
【０００６】
また、出力するページの画像データがページメモリに残っている場合は画像記憶部からページメモリに画像データを読み込まず、ページメモリから画像データを取り出して出力する。これにより、画像記憶部の読み出し時間を削減してより高速な出力を行うことができるようになっている。
【０００７】
【特許文献１】
特開平５−２４４３６１号公報（第２頁−第６頁、第５図）
【０００８】
【発明が解決しようとする課題】
しかしながら、上記従来の画像処理装置によると、ページメモリには原稿の読み取り順に各領域に画像データが書き込まれる。出力する際にページメモリに出力するページの画像データが残っていない場合には画像記憶部から読み込まれる時間を必要とするため、高速な出力を得ることができない問題があった。
【０００９】
例えば、図９は上記の画像処理装置によりコピーを行った場合のタイムチャートを示している。ページメモリには領域Ａ〜Ｄが設けられ、４ページ分の画像データを記憶することができる。図中、ページメモリ欄の傾斜部分は原稿の読取り装置または画像記憶部からページメモリに画像データが書き込まれている期間を示し、ハッチング部分はページメモリから画像記憶部に画像データが書き込まれている期間を示している。尚、各数字はページ番号を表わしている。
【００１０】
同図によると、原稿の画像イメージの読み取りによってページメモリの領域Ａ〜Ｄには１〜４ページの画像データが書き込まれる。ページメモリの領域Ａ〜Ｄに書き込まれた画像データは順に画像記憶部に書き込まれて各ページが画像記憶部に格納される。続いて５〜８ページの原稿が読み取られるとページメモリに空領域がないため画像データは領域Ａ〜Ｄに上書きされる。
【００１１】
全ページの原稿の読み取りが終わると画像の出力が行われる。画像を出力する際に、ページメモリの領域Ａ〜Ｄには１ページ目の画像データが残っていない。このため、最終ページ（８ページ）の画像データの画像記憶部への書き込み終了後、画像記憶部から１ページの画像データがページメモリに読み込まれて印刷が開始される。従って、原稿読取りの終了後、印刷の開始までに待機時間を要し、高速な出力が得られない場合があった。
【００１２】
また、原稿の両面の画像イメージを読み取って印刷する画像処理装置では高速に原稿を読み取ることができ、読取装置を早期に開放して次のコピージョブを予約することができる。しかしながら、ページメモリの各領域には原稿の読み取り順に画像データが書き込まれるため、ページメモリの開放を待つ時間によって原稿の読取装置を速く開放することができない問題もあった。
【００１３】
例えば、図１０は両面読み取りの画像処理装置により原稿の両面の画像イメージを同時に読み取り、各ページの読み取りが終了すると順次画像の印刷を行う場合のタイムチャートを示している。ページメモリには上記と同様に領域Ａ〜Ｄが設けられている。また、図中の表現方法は図９と同様である。
【００１４】
同図によると、原稿の画像イメージの読み取りによってページメモリの領域Ａ、Ｂには１、２ページの画像データが書き込まれる。ページメモリの領域Ａ、Ｂに書き込まれた画像データは順に画像記憶装置に書き込まれるとともに、出力装置により取り出されて印刷が行われる。続いて３、４ページの原稿が読み取られると領域Ｃ、Ｄに３、４ページの画像データが書き込まれた後、順に画像記憶装置に書き込まれる。
【００１５】
次に、５、６ページの画像データを読み取る際に、ページメモリの領域Ａ、Ｂは１、２ページの印刷のために使用されている。このため、１、２ページの印刷が終了した後に５、６ページの読み取りが行われ、画像データは領域Ａ、Ｂに上書きされる。従って、原稿の読み取りを待機する時間を要し、原稿の読取装置を速く開放することができない場合があった。
【００１６】
本発明は、原稿の読み取り或いは画像の出力を高速に行って利便性を向上させることのできる画像処理装置を提供することを目的とする。
【００１７】
【課題を解決するための手段】
上記目的を達成するために本発明は、原稿の画像イメージを読み取る読取部と、前記読取部で読み取った全てのページの画像データをページ単位で記憶する画像記憶部と、前記読取部で読み取った一部のページの画像データまたは前記画像記憶部から取り出した一部のページの画像データを１ページづつ一時記憶する複数の領域を有するページメモリと、前記ページメモリから１ページづつ画像データを取り出して出力する出力部と、前記出力部から出力するページの順序をユーザ設定する入力部とを備え、
前記読取部または前記画像記憶部から前記ページメモリに画像データを書き込む際に、前記出力部の出力経過または出力順序に基づいて決められた領域に書き込むようにしたことを特徴としている。
【００１８】
この構成によると、原稿の画像イメージを読み取って、画像イメージの画像データがページ単位でページメモリの複数の領域に書き込まれる。この時、出力部の出力経過またはユーザ設定された出力順序に基づいて書き込み先の領域が決められる。ページメモリに記憶された画像データは読み出して画像記憶部に書き込まれ、全ページの画像データが画像記憶部に記憶される。画像の出力時には設定された順にページメモリから画像データを読み出して出力部から出力される。ページメモリに出力するページの画像データがない場合は画像記憶部からページ単位でページメモリの複数の領域に画像データが書き込まれる。この時、出力部の出力経過またはユーザ設定された出力順序に基づいて書き込み先の領域が決められる。
【００１９】
また本発明は、上記構成の画像処理装置において、前記ページメモリの各領域に記憶されたページの中で、前記出力部による出力が終了したページがある場合は該ページを記憶した領域を書き込み先とし、前記出力部による出力が終了したページがない場合は、前記出力部によって最も後に出力されるページを記憶した領域から順に使用可能な領域を検索して書き込み先としたことを特徴としている。
【００２０】
この構成によると、ページメモリの各領域には、出力が近いページから順に優先順位が付けられ出力が後のページになる程優先順位が低くなる。更に出力が終了したページが低い優先順位になる。ページメモリに画像データを書き込む際に、優先順位の低いページの画像データを記憶した領域から順に使用可能な領域を選択してページ単位の画像データが書き込まれる。
【００２１】
また本発明は、上記構成の画像処理装置において、前記読取部によって原稿の両面の画像イメージを読み取ることを特徴としている。この構成によると、原稿の両面の画像イメージが同時に読み取られてページメモリの２つの領域に画像データが書き込まれる。
【００２２】
また本発明は、上記構成の画像処理装置において、前記ページメモリから前記画像記憶部に画像データを書き込む際に、前記出力部の出力順序または出力経過に基づいて決められたページ順で書き込むようにしたことを特徴としている。この構成によると、ページメモリの２つの領域に同時に書き込まれた両面の画像データは出力部の出力順序または出力経過に基づいて決められた順序で画像記憶部にページ毎に書き込まれる。
【００２３】
【発明の実施の形態】
以下に本発明の実施形態を図面を参照して説明する。図１は一実施形態の画像処理装置の構成を示すブロック図である。画像処理装置１はＣＰＵから成る制御部２により各部を制御する。制御部２には読取部３、表示部４、入力部５、画像記憶部１１、ページメモリ１２、プログラム記憶部１３、出力部１４が接続されている。
【００２４】
読取部３は光を出射する光源、光源の出射光を原稿の給送方向に直交する方向に走査する走査手段、原稿の反射光を受光する受光素子を有している。これにより、給送される原稿に光を照射して走査し、反射光の輝度を捉えて画素毎の輝度信号により画像イメージを作成して出力する。
【００２５】
表示部４は液晶パネル等から成り、読取部３で読み取った画像イメージの縮小画像や設定メニューを表示する。入力部５は操作パネルから成り、ユーザ操作により原稿読み取りの条件設定や出力の条件設定等を行うことができる。表示画面上を操作できるタッチパネル等により表示部４及び入力部５を一体に構成してもよい。
【００２６】
画像記憶部１１はＨＤＤ等から成り、読取部３で読み取った全ページの画像イメージの画像データをページ単位で記憶する。ページメモリ１２はＲＡＭまたはＥＥＰＲＯＭから成り、論理的に分割された複数の領域を有している。各領域には読取部３で読み取った画像イメージの画像データや、画像記憶部１１から取り出した画像データがページ単位で一時記憶される。各領域を物理的に分離されたメモリにより構成してもよい。
【００２７】
プログラム記憶部１３はＥＥＰＲＯＭ等の不揮発性メモリから成り、画像処理装置１の動作プログラムや入力部５による設定データ等が格納される。また、ページメモリ１２が設けられるＲＡＭ等には制御部２による演算結果等の一時記憶領域が設けられる。出力部７は画像記憶部１１に記憶された画像データを入力部５で設定した条件によりページメモリ１２を介して取り出して出力する。これにより、１部または複数部の原稿の複写を１回の読み取りにより行うことができる。
【００２８】
上記構成の画像処理装置１の動作を図２〜図５のフローチャートを参照して説明する。図２は原稿読み取り処理の動作を示している。ステップ＃１１ではユーザ操作によって入力部５により原稿を出力する部数が入力され、プログラム記憶部１３に記憶される。ステップ＃１２では入力部５により原稿を出力するページの順序が入力され、プログラム記憶部１３に記憶される。
【００２９】
ステップ＃１３では原稿の読取開始の操作が行われたか否かが判断され、読取開始の操作が行われるまでステップ＃１１〜＃１３を繰り返して待機する。原稿の読取開始の操作が行われるとステップ＃１４に移行し、図３に示す書込先ページメモリ取得処理が行われる。
【００３０】
書込先ページメモリ取得処理では、ページメモリ１２の各領域の中でどの領域に画像データを書き込むが決められる。ステップ＃２１ではページメモリ１２に空領域があるか否かが判断される。空領域がある場合はステップ＃２５に移行して該領域が書込先の領域に設定され、図２のフローチャートに戻る。
【００３１】
空領域がない場合はステップ＃２２で出力部１４から既に出力したページの画像データを記憶した領域があるか否かが判断される。出力済のページの領域が有る場合はステップ＃２５に移行して該領域が書込先の領域に設定され、図２のフローチャートに戻る。出力済のページの領域がない場合はステップ＃２３に移行する。
【００３２】
ステップ＃２３ではページメモリ１２の各領域に記憶されたページの中で最も後に出力される予定のページを記憶した領域が検索される。ステップ＃２４では検索により選択された領域が使用可能か否かが判断される。使用できない場合にはステップ＃２２に戻る。
【００３３】
ステップ＃２２の判断を行った後、ステップ＃２３で、使用できなかった領域を除いて最も後に出力される予定のページを記憶した領域が検索される。この動作を繰り返して使用可能な領域が検索されるとステップ＃２５に移行して該領域が書込先の領域に設定され、図２のフローチャートに戻る。
【００３４】
使用可能な領域が検索されない場合はステップ＃２２〜＃２４を繰り返して待機し、出力中のページの出力が完了するとステップ＃２２の判断によりステップ＃２５に移行する。また、いずれかの領域が使用可能になるとステップ＃２４の判断によりステップ＃２５に移行する。
【００３５】
従って、ステップ＃２１〜＃２４によって出力されるページの優先順位に応じて書込先の領域が決められている。優先順位は出力が近いページから順につけられ、出力が後のページになるほど優先順位が低くなる。更に、出力が終了したページが低い優先順位になる。そして、出力の優先順位の低いページの画像データを記憶した領域から順に使用可能であれば書き込み先に設定される。尚、ページメモリ１２の領域が使用できない条件として以下の場合が挙げられる。
【００３６】
▲１▼読出部３による読み取り中でページメモリ１２に書き込まれている場合
▲２▼画像記憶部１４から読込み中でページメモリ１２に書き込まれている場合
▲３▼ページメモリ１２内の画像データをまだ画像記憶部１４に書き込んでいない場合
▲４▼画像記憶部１４に書き込み中でページメモリ１２から読み出している場合
▲５▼出力部１４による出力中でページメモリ１２から読み出している場合
▲６▼該領域に記憶されたページの直前のページが出力部１４により出力中で、ページメモリ１２から直ぐに読み出せるように待機している場合
【００３７】
図２のステップ＃１５では読取部３により１枚目の原稿が読み取られ、書込先ページメモリ取得処理で設定したページメモリ１２の領域に画像データが書き込まれる。ステップ＃１６では読み取った原稿の画像データを画像記憶部１１に記憶する。ステップ＃１７ではセンサ等により全ての原稿が読み取られたか否かを判断する。原稿が残っている場合はステップ＃１４に戻ってステップ＃１４〜＃１７が繰り返し行われる。全ての原稿が読み取られた場合はステップ＃１８に移行して原稿の全ページ数がプログラム記憶部１３に記憶され、終了する。
【００３８】
読取部３により読み取った画像イメージの画像データを出力する場合には、画像記憶部１１からページメモリ１２にページ順に画像データの先読み出しを行い、ページメモリ１２から順次取り出して出力部１４から出力する。尚、読取部３による読み取りが全ページ終了してから出力することもでき、全ページが終了する前にページ毎に読み取り後順次出力することもできる。
【００３９】
図４はページメモリ１２の先読み出し処理を示している。ステップ＃３１ではページメモリ１２に読み出すページ番号を示す読出ページ番号ｊに１が代入される。尚、読出ページ番号ｊは出力順に付されるページ番号であり、原稿の読み取り順ではない。ステップ＃３２ではページメモリ１２の各領域に読出ページ番号ｊで示すページが記憶されているか否かが判断される。
【００４０】
読出ページ番号ｊのページがページメモリ１２に残っている場合はステップ＃３５に移行する。読出ページ番号ｊのページがページメモリ１２にない場合はステップ＃３３で前述の図３に示す書込先ページメモリ取得処理が行われる。これにより、出力の優先順位が低い順に使用可能な領域が取得され、ステップ＃３４に移行する。
【００４１】
ステップ＃３４では取得した領域に画像記憶部１１から読出ページ番号ｊのページの画像データが書き込まれる。ステップ＃３５では出力が終了したページのページ番号を示す出力済ページ番号Ｐが取得される。出力済ページ番号Ｐは後述する図５に示す画像データ出力処理の動作によって設定される。
【００４２】
ステップ＃３６では読出ページ番号ｊが出力済ページ番号Ｐとページメモリ１２の領域数との和になっているか否かが判断される。読出ページ番号ｊが出力済ページ番号Ｐとページメモリ１２の領域数との和よりも小さい場合はステップ＃３７で読出ページ番号ｊがインクリメントされ、ステップ＃３２に戻る。
【００４３】
そして、出力済のページに対して次ページ（出力中のページ）から領域数先のページまでの画像データで各領域が埋まるまでステップ＃３２〜＃３７が繰り返される。尚、複数部の出力の場合はステップ＃３６、＃３７で演算経過が全ページ数を超えた場合が考慮される。即ち、ステップ＃３６では読出ページ番号ｊが出力済ページ番号Ｐとページメモリ１２の領域数との和を全ページ数で割った余りになっているか否かが判断される。また、ステップ＃３７では読出ページ番号ｊが全ページ数を超えると読出ページ番号ｊに１が代入される。
【００４４】
各領域が出力待機する近隣のページで埋まるとステップ＃３８に移行して、読出ページ番号ｊのページがステップ＃１８（図２参照）で記憶した最終ページか否かが判断される。読出ページ番号ｊが最終ページでない場合はステップ＃３５に移行して出力済のページが発生するまでステップ＃３５、＃３６、＃３８が繰り返される。出力済のページが発生すると出力済ページ番号Ｐが更新され、ステップ＃３６の判断によりステップ＃３２に移行する。
【００４５】
そして、ページメモリ１２に最終ページの画像データが読み取られるまでステップ＃３２〜＃３８を繰り返し、読出ページ番号ｊが最終ページになると先読み出しが終了する。複数部の出力の場合は１部毎の読み取りが終了する毎に先読み出し処理が行われる。
【００４６】
図５は出力部１４から画像を出力する画像データ出力処理を示している。画像データ出力処理は前述の図４に示す先読み出し処理と並行して行われる。ステップ＃４１では出力が終了したページのページ番号を示す出力済ページ番号Ｐに０が代入される。尚、出力済ページ番号Ｐは出力順に付されるページ番号であり、原稿の読み取り順ではない。
【００４７】
ステップ＃４２では先読み出し処理によってページメモリ１２に出力ページが記憶されているか否かが判断され、記憶されていない場合は待機する。ページメモリ１２に出力ページが記憶されると、ステップ＃４３に移行してページメモリ１２から設定された順序でページ単位で画像データを取り出して出力する。
【００４８】
ステップ＃４３で取り出されたページの出力が終了するとステップ＃４４で出力済ページ番号Ｐがインクリメントされる。ステップ＃４５ではステップ＃１７（図２参照）で記憶した全ページが出力終了したか否かが判断される。全ページの出力が終了していない場合はステップ＃４２に戻ってステップ＃４２〜＃４５が繰り返し行われる。
【００４９】
全ページの出力が終了すると、ステップ＃４６の判断によって、ステップ＃１１（図２参照）で設定された出力部数になるまでステップ＃４１〜＃４６が繰り返される。これにより、１部または複数部の複製が完了する。
【００５０】
本実施形態によると、原稿読取り処理及び先読み出し処理において出力経過または出力順序に基づいた優先順位の低いページの画像データを記憶したページメモリ１２の領域から順に画像データを上書きするので、優先順位の高いページの画像データをページメモリ１２に残すことができる。従って、原稿の読み取り或いは画像の出力を高速に行って利便性を向上させることができる。
【００５１】
【実施例】
以下に本発明の実施例を説明する。図６は第１実施例の画像処理装置１のタイムチャートを示している。本実施例は８ページの原稿を片面読み取りし、原稿の全ページの読み取り終了後に印刷を行うようになっている。前述の図９、図１０に示す従来例と同様に、ページメモリ１２には領域Ａ〜Ｄが設けられ、４ページ分の画像データを記憶することができる。
【００５２】
また、図中、ページメモリ欄の傾斜部分は読取部３また画像記憶部１１からページメモリ１２に画像データが書き込まれている期間を示し、ハッチング部分はページメモリ１２から画像記憶部１１に画像データが書き込まれている期間を示している。尚、各数字はページ番号を表わしている。
【００５３】
同図によると、原稿の画像イメージが読み取られ、図３のステップ＃２１の判断によって空いているページメモリ１２の領域Ａ〜Ｄには１〜４ページの画像データが書き込まれる。ページメモリ１２の領域Ａ〜Ｄに書き込まれた画像データは順に画像記憶部１１に書き込まれて各ページが画像記憶部１１に格納される。
【００５４】
続いて５ページの原稿が読み取られるとページメモリに空領域がなく出力済のページもないため、ステップ＃２３により最も後に出力される優先順位の低い４ページ目を記憶した領域Ｄが選択される。しかし、領域Ｄは画像記憶部１１に書き込み中であるためステップ＃２４の判断によりステップ＃２２に戻る。そして、ステップ＃２３（＃２２は通過）により再度領域が検索され、次に優先順位の低い領域Ｃが選択される。領域Ｃは使用可能であるため５ページの画像データが書き込まれる。
【００５５】
６ページの原稿が読み取られると、同様に優先順位の低い４ページを記憶した領域Ｄが選択される。この時点では領域Ｄは使用可能であるため６ページの画像データが書き込まれる。７ページの原稿が読み取られると優先順位の低い６ページを記憶した領域Ｄが選択される。しかし、領域Ｄは画像記憶部１１に書き込み中であるため、次に優先順位の低い領域Ｃが選択される。領域Ｃは使用可能であるため７ページの画像データが書き込まれる。
【００５６】
８ページの原稿が読み取られると、同様に優先順位の低い６ページ目を記憶した領域Ｄが選択される。この時点では領域Ｄは使用可能であるため８ページの画像データが書き込まれる。
【００５７】
全ページの原稿の読み取りが終わると画像の出力が行われる。画像を出力する際に、ページメモリの領域Ａ、Ｂに１、２ページの画像データが残っている。このため、最終ページ（８ページ）の画像データを画像記憶部１１に書き込んでいる間にページメモリ１２の領域Ａから１ページの画像データを取りだして出力部１４により出力する。続いて、領域Ｂから２ページの画像データを取り出して出力部１４により出力する。
【００５８】
３ページの画像データはページメモリ１２上にはないため、画像記憶部１１からページメモリ１２に書き込まれる。この時、８ページの画像データをページメモリ１２から画像記憶部１１に書き込んだ後、出力の優先順位の低い８ページの画像データを記憶した領域Ｄに３ページの画像データが書き込まれる。
【００５９】
４ページの画像データは画像記憶部１１から領域Ｄに３ページの画像データが書き込まれた後、画像記憶部１１からページメモリ１２に書き込まれる。この時、１ページの出力が終了しているので、ステップ＃２２（図３参照）の判断によって領域Ａに書き込みが行われる。以後５〜８ページについても同様に出力の優先順位が低い順に使用可能な領域に画像データが書き込まれて出力される。
【００６０】
本実施例によると、原稿の読み取り終了時に１ページの画像データがページメモリ１２の領域Ａに残っている。このため、最終ページ（８ページ）の画像データを画像記憶部１１に書き込む時間及び画像記憶部１１から１ページの画像データを取り出す時間を省くことができる。従って、前述の図９に示す従来例よりも出力の開始時期を速くすることができ、ユーザの利便性が向上する。
【００６１】
次に、図７は第２実施例の画像処理装置１のタイムチャートを示している。本実施例は、６ページの原稿を両面読み取りし、原稿の読み取りを行いながら順次印刷を行うようになっている。前述の図６と同様に、ページメモリ１２には領域Ａ〜Ｄが設けられ、４ページ分の画像データを記憶することができる。また、図中の表現方法は図６と同様である。
【００６２】
同図によると、原稿の画像イメージの読み取りによってページメモリ１２の領域Ａ、Ｂには１、２ページの画像データが書き込まれる。ページメモリ１２の領域Ａ、Ｂに書き込まれた画像データは順に画像記憶部１１に書き込まれるとともに、出力部１４により取り出されて印刷が行われる。続いて３、４ページの原稿が読み取られるとステップ＃２１（図３参照）の判断により領域Ｃ、Ｄに３、４ページの画像データが書き込まれた後、順に画像記憶部１１に書き込まれる。
【００６３】
次に、５、６ページの画像データを読み取る際に、ページメモリ１２の領域Ａは１ページの出力が終了して書き込み可能である。領域Ｂは２ページの印刷のために使用されている。領域Ｃは３ページの画像データをページメモリ１２から画像記憶部１１に書き込んでいるので使用できない。領域Ｄは４ページの画像データをまだ画像記憶部１１に書き込んでいないので使用できない。このため、２ページ分の画像データを書き込む領域がなく、ステップ＃２２〜＃２４（図３参照）が繰り返される。
【００６４】
また、ページメモリ１２の領域Ｃから画像記憶部１１に画像データが書き込まれた時点では２ページが出力中になっている。このため、領域Ｃは３ページの出力を開始可能な状態に準備されているため使用できない。これにより、４ページの画像データが領域Ｄから画像記憶部１１に画像データが書き込まれた後に、５、６ページを読み取って画像データが領域Ａ、Ｄに上書きされる。
【００６５】
ページメモリ１２上からは４ページの画像データが消失するので２ページの出力が終了した時点で画像記憶部１１から領域Ｂに４ページの画像データが書き込まれる。そして、各ページの出力が終了するとその領域に画像記憶部１１から出力予定のページの画像データが順次書き込まれて出力される。
【００６６】
本実施例によると、２ページの出力が終了する前に５、６ページの読み取りを行うことができる。このため、前述の図１０に示す従来例よりも原稿読取りの待機時間を短縮することができる。従って、読取部３を早期に開放して次のコピージョブを予約することができ、ユーザの利便性を向上させることができる。
【００６７】
次に図８は第３実施例の画像処理装置１のタイムチャートを示している。前述の図７に示す第２実施例とは３、４ページの画像データをページメモリ１２から画像記憶部１１に書き込む順序が異なっている。その他の部分は第２実施例と同一である。
【００６８】
本実施例によると、読取部３により読み取られた３、４ページの画像データがページメモリ１２の領域Ｃ、Ｄに書き込まれる際に、出力の優先順位の低い４ページの画像データを先に画像記憶部１１に書き込むようにしている。これにより、３ページよりも先に画像記憶部１１に書き込まれた４ページの書き込み終了時点で、５、６ページの画像の読み取りを開始することができる。
【００６９】
即ち、３ページの画像データが書き込まれた領域Ｃは２ページの出力中には既に使用できないため画像記憶部１１への書き込みを後にし、領域Ｄを早く開放している。これにより、第２実施例よりも５、６ページの読み取りを早期に開始することができる。従って、読取部３をより早期に開放して次のコピージョブを予約することができ、ユーザの利便性が更に向上する。
【００７０】
【発明の効果】
本発明によると、読取部または画像記憶部からページメモリに画像データを書き込む際に、出力部の出力経過または出力順序に基づいて決められた領域に書き込むようにしたので、出力の優先順位の高いページの画像データをページメモリに残すことができる。従って、原稿の読み取り或いは画像の出力を高速に行って利便性を向上させることができる。
【００７１】
また本発明によると、ページメモリの各領域に記憶されたページの中で、出力部による出力が終了したページがある場合は該ページを記憶した領域を書き込み先とし、出力部による出力が終了したページがない場合は、出力部によって最も後に出力されるページを記憶した領域から順に使用可能な領域を検索して書き込み先としたので、出力が近い画像データを容易にページメモリに残すことができる。
【００７２】
また本発明によると、読取部によって原稿の両面の画像イメージを読み取るので、高速に読み取られる原稿の画像データを出力経過または出力順序に基づいてページメモリに書き込んで待機時間を短縮することができる。従って、従来よりも読取部を早期に開放して次のコピージョブを予約することができ、ユーザの利便性が向上する。
【００７３】
また本発明によると、出力順序または出力経過に基づいて決められたページ順でページメモリから画像記憶部に画像データを書き込むので、原稿読取りの待機時間をより短縮することができる。従って、読取部をより早期に開放して次のコピージョブを予約することができ、ユーザの利便性が更に向上する。
【図面の簡単な説明】
【図１】は、本発明の実施形態の画像処理装置の構成を示すブロック図である。
【図２】は、本発明の実施形態の画像処理装置の原稿読み取り処理の動作を示すフローチャートである。
【図３】は、本発明の実施形態の画像処理装置の書込先ページメモリ取得処理の動作を示すフローチャートである。
【図４】は、本発明の実施形態の画像処理装置の先読み出し処理の動作を示すフローチャートである。
【図５】は、本発明の実施形態の画像処理装置の画像データ出力処理の動作を示すフローチャートである。
【図６】は、本発明の第１実施例の画像処理装置の動作を示すタイムチャートである。
【図７】は、本発明の第２実施例の画像処理装置の動作を示すタイムチャートである。
【図８】は、本発明の第３実施例の画像処理装置の動作を示すタイムチャートである。
【図９】は、従来の画像処理装置の動作を示すタイムチャートである。
【図１０】は、他の従来の画像処理装置の動作を示すタイムチャートである。
【符号の説明】
１    画像処理装置
２    制御部
３    読取部
４    表示部
５    入力部
１１    画像記憶部
１２    ページメモリ
１３    プログラム記憶部
１４    出力部
【図１】
2004236132.tif 000003
【図２】
2004236132.tif 000004
【図３】
2004236132.tif 000005
【図４】
2004236132.tif 000006
【図５】
2004236132.tif 000007
【図６】
2004236132.tif 000008
【図７】
2004236132.tif 000009
【図８】
2004236132.tif 000010
【図９】
2004236132.tif 000011
【図１０】
2004236132.tif 000012